(57)【特許請求の範囲】
【請求項１】
複数枚の筆記用シートを有する筆記帳とともに用いられるものであり、ユーザが筆記用シートに筆記した内容を読み取りディジタルデータ化して筆跡情報を生成する読取装置と、読取装置と通信可能に接続し読取装置が生成した筆跡情報を受け取って処理する情報処理装置とを有し、情報処理装置が携帯電話端末、スマートフォンまたは携帯可能なコンピュータであって、
前記読取装置が、
前記筆記用シートに筆記された筆跡を筆跡情報として取得する筆跡情報取得部と、
前記筆記用シートに記入された処理識別子を取得する処理識別子取得部と
を具備し、
前記情報処理装置が、
当該情報処理装置の操作入力デバイス、マイクまたはカメラを用いて構成され、前記筆記用シート上に筆記された内容を示す筆跡情報に対して実行するべき一または複数の処理を定義する処理定義と当該処理定義を識別する識別子であり前記処理を実行させるために前記筆記用シートに記入される処理識別子との組である、ユーザが任意に決定することができユーザによって任意に設定される設定情報の入力を受け付ける設定情報受付部と、
前記設定情報受付部で受け付けた設定情報を記憶する設定情報記憶部と、
前記設定情報記憶部が記憶している設定情報を参照し、前記処理識別子取得部で取得した処理識別子と組となっている処理定義によって定義されている一または複数の処理を、前記筆跡情報取得部で取得した筆跡情報に対して実行する筆跡情報処理部と
を具備する筆記内容処理システム。
【請求項２】
前記処理識別子は、前記筆記帳を構成する各筆記用シート毎に記入されるものであり、
前記筆跡情報処理部は、ある筆記用シートに記入された処理識別子と組となっている処理定義によって定義されている一または複数の処理を、同一の筆記用シートに筆記された内容を示す筆跡情報に対して実行する請求項１記載の筆記内容処理システム。
【請求項３】
前記処理識別子とは別に前記筆記用シートに記入される、前記処理の実行を開始する旨の意思を示す開始符号を検出する開始符号検出部を具備し、
前記筆跡情報処理部は、前記筆記用シートに前記開始符号が記入されたことを前記開始符号検出部が検出したことを条件として、前記処理識別子と組となっている処理定義によって定義されている一または複数の処理を前記筆跡情報に対して実行する請求項１または２記載の筆記内容処理システム。
【請求項４】
ユーザが任意に設定し前記設定情報記憶部に記憶しておく設定情報の処理定義に、筆跡情報の電子メールによる送信の宛先アドレスの指定が含まれており、前記筆跡情報処理部が、この設定情報に基づき、指定された宛先アドレスに向けて筆跡情報を電子メールとして送信する、
または、
ユーザが任意に設定し前記設定情報記憶部に記憶しておく設定情報の処理定義に、筆跡情報のアップロード先の指定及び同アップロード先へのアクセス権限を認証するためのユーザアカウント情報が含まれており、前記筆跡情報処理部が、この設定情報に基づき、指定されたアップロード先に向けて筆跡情報をアップロード送信する、請求項１、２または３記載の筆記内容処理システム。
【請求項５】
請求項１、２、３または４記載の筆記内容処理システムを構成するために用いられるものであって、
操作入力デバイス、マイクまたはカメラを用いて構成され、前記筆記用シート上に筆記された内容を示す筆跡情報に対して実行するべき一または複数の処理を定義する処理定義と当該処理定義を識別する識別子であり前記処理を実行させるために前記筆記用シートに記入される処理識別子との組である、ユーザが任意に決定することができユーザによって任意に設定される設定情報の入力を受け付ける設定情報受付部と、
前記設定情報受付部で受け付けた設定情報を記憶する設定情報記憶部と、
前記設定情報記憶部が記憶している設定情報を参照し、前記筆記用シートに記入された処理識別子と組となっている処理定義によって定義されている一または複数の処理を、前記筆記用シートに筆記された内容を示す筆跡情報に対して実行する筆跡情報処理部と
を具備する情報処理装置。
【請求項６】
請求項１、２、３または４記載の筆記内容処理システムを構成するために用いられるものであって、携帯電話端末、スマートフォンまたは携帯可能なコンピュータである情報処理装置を、
当該情報処理装置の操作入力デバイス、マイクまたはカメラを介して、筆記用シート上に筆記された内容を示す筆跡情報に対して実行するべき一または複数の処理を定義する処理定義と当該処理定義を識別する識別子であり前記処理を実行させるために前記筆記用シートに記入される処理識別子との組である、ユーザが任意に決定することができユーザによって任意に設定される設定情報の入力を受け付ける設定情報受付部、
前記設定情報受付部で受け付けた設定情報を記憶する設定情報記憶部、及び、
前記設定情報記憶部が記憶している設定情報を参照し、前記筆記用シートに記入された処理識別子と組となっている処理定義によって定義されている一または複数の処理を、前記筆記用シートに筆記された内容を示す筆跡情報に対して実行する筆跡情報処理部
として機能させるプログラム。
【発明の詳細な説明】
【技術分野】
【０００１】
本発明は、ユーザが筆記した内容をディジタルデータ化して利用するための筆記内容処理システムに関する。
【背景技術】
【０００２】
ユーザが筆記具を用いて筆記した筆跡をディジタルデータ化することのできる読取装置（筆記入力装置）が既知である（例えば、下記特許文献を参照）。
【０００３】
この種の読取装置では、筆記される媒体である筆記用シート（特に、用紙）が電磁誘導式デジタイザ上に載置される。この状態で、ユーザが筆記具（電磁ペン）を用いて筆記用シートに所望の内容の筆記を行うと、デジタイザ内の検出回路により筆記具の筆先の位置が検出され、その位置座標の時系列から、筆記用シートに筆記された内容を示す筆跡情報が生成される。ユーザによる筆記が終了すると、筆記内容に対応した筆跡情報が、通信インタフェースを介してパーソナルコンピュータ等の外部の情報処理装置に送信され、保存される。
【先行技術文献】
【特許文献】
【０００４】
【特許文献１】特開２００１−１４７７７１号公報
【発明の概要】
【発明が解決しようとする課題】
【０００５】
筆記用シートに筆記した内容に係る筆跡情報をどのように処理したいかは、ユーザによって様々であると考えられる。あるユーザは、その筆跡情報を特定の情報処理装置に保存して蓄積しておくことを希望するであろう。別のユーザは、その筆跡情報を他者と共有するために、特定の一または複数のメールアドレスを宛先として電子メールの形で送信することを希望するであろう。
【０００６】
また、同一のユーザであっても、その時々に応じて筆跡情報の処理方法を変更することがあり得る。筆跡情報が会議の議事録であれば、これを会議の参加メンバー（または、参加しなかったメンバー）に向けて送信するが、個人的なメモであれば、専ら私的な記憶領域に保存するのみとするかもしれない。
【０００７】
本発明は、筆記用シートに筆記された筆跡をディジタルデータ化して得られる筆跡情報の自動処理を可能とするとともに、その処理の態様をユーザが任意に設定でき、かつその時々に応じて容易に処理の態様を選択できるようにすることを所期の目的としている。
【課題を解決するための手段】
【０００８】
上述の課題を解決するために、本発明では、図１に示すように、複数枚の筆記用シートを有する筆記帳とともに用いられるものであり、ユーザが筆記用シートに筆記した内容を読み取りディジタルデータ化して筆跡情報を生成する読取装置と、読取装置と通信可能に接続し読取装置が生成した筆跡情報を受け取って処理する情報処理装置とを有し、情報処理装置が携帯電話端末、スマートフォンまたは携帯可能なコンピュータであって、前記読取装置が、前記筆記用シートに筆記された筆跡を筆跡情報として取得する筆跡情報取得部１０３と、前記筆記用シートに記入された処理識別子を取得する処理識別子取得部１０４とを具備し、前記情報処理装置が、当該情報処理装置の操作入力デバイス、マイクまたはカメラを用いて構成され、前記筆記用シート上に筆記された内容を示す筆跡情報に対して実行するべき一または複数の処理を定義する処理定義と当該処理定義を識別する識別子であり前記処理を実行させるために前記筆記用シートに記入される処理識別子との組である、ユーザが任意に決定することができユーザによって任意に設定される設定情報の入力を受け付ける設定情報受付部１０１と、前記設定情報受付部１０１で受け付けた設定情報を記憶する設定情報記憶部１０２と、前記設定情報記憶部１０２が記憶している設定情報を参照し、前記処理識別子取得部１０４で取得した処理識別子と組となっている処理定義によって定義されている一または複数の処理を、前記筆跡情報取得部１０３で取得した筆跡情報に対して実行する筆跡情報処理部とを具備する筆記内容処理システム１を構成した。
【０００９】
ここで、「筆記帳」とは、例えば用紙が複数枚重ね合わされたノート、レポートパッド、メモ帳等である。そして、「筆記用シート」とは、ノートであればその各ページ（中紙）、レポートパッドであれば綴じられたレポート用紙の一枚一枚、メモ帳であれば綴じられたメモ用紙の一枚一枚がそれに該当する。無論、筆記用シートの素材は紙には限定されない。
【００１０】
また、「任意に設定される設定情報の入力を受け付ける」とは、ユーザによる設定情報の手入力を何らかの操作入力デバイス（例えば、タッチパネル、トラックパッド若しくはペンタブレット、マウスといったポインティングデバイスや、キーボート、押下ボタン等）を介して受け付けること、ユーザによる音声での指示をマイクを介して受け付けること、または、ユーザの手により用紙類に記載された設定情報をカメラ即ちイメージセンサ（例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等）を介して光学的に読み取ることをいう。
【００１１】
前記処理識別子が、前記筆記帳を構成する各筆記用シート毎に記入されるものであり、前記筆跡情報処理部１０５が、ある筆記用シートに記入された処理識別子と組となっている処理定義によって定義されている一または複数の処理を、同一の筆記用シートに筆記された内容を示す筆跡情報に対して実行するものとすれば、筆記帳の各ページ毎に、当該ページに筆記された内容に係る筆跡情報に対する処理を簡便に指定することが可能となる。
【００１２】
さらに、前記処理識別子とは別に前記筆記用シートに記入される、前記処理の実行を開始する旨の意思を示す開始符号を検出する開始符号検出部１０６を具備し、前記筆跡情報処理部１０５が、前記筆記用シートに前記開始符号が記入されたことを前記開始符号検出部１０６が検出したことを条件として、前記処理識別子と組となっている処理定義によって定義されている一または複数の処理を前記筆跡情報に対して実行するものとすれば、ユーザが筆跡情報を処理するタイミングを任意に制御できるようになる。即ち、ユーザが筆記用シートに必要十分な筆記を行った時点で、その筆記内容に対する所望の処理の実行を開始することができる。加えて、その処理の実行後に当該筆記用シートに追記した内容は処理対象としないようにすることも可能である。
【００１３】
より具体的には、ユーザが任意に設定し前記設定情報記憶部に記憶しておく設定情報の処理定義に、筆跡情報の電子メールによる送信の宛先アドレスの指定が含まれており、前記筆跡情報処理部が、この設定情報に基づき、指定された宛先アドレスに向けて筆跡情報を電子メールとして送信する、または、ユーザが任意に設定し前記設定情報記憶部に記憶しておく設定情報の処理定義に、筆跡情報のアップロード先の指定及び同アップロード先へのアクセス権限を認証するためのユーザアカウント情報が含まれており、前記筆跡情報処理部が、この設定情報に基づき、指定されたアップロード先に向けて筆跡情報をアップロード送信する。
【００１４】
本筆記内容処理システム１を構成するために好適な情報処理装置は、操作入力デバイス、マイクまたはカメラを用いて構成され、前記筆記用シート上に筆記された内容を示す筆跡情報に対して実行するべき一または複数の処理を定義する処理定義と当該処理定義を識別する識別子であり前記処理を実行させるために前記筆記用シートに記入される処理識別子との組である、ユーザが任意に決定することができユーザによって任意に設定される設定情報の入力を受け付ける設定情報受付部１０１と、前記設定情報受付部１０１で受け付けた設定情報を記憶する設定情報記憶部１０２と、前記設定情報記憶部１０２が記憶している設定情報を参照し、前記筆記用シートに記入された処理識別子と組となっている処理定義によって定義されている一または複数の処理を、前記筆記用シートに筆記された内容を示す筆跡情報に対して実行する筆跡情報処理部１０５とを具備する。
【００１５】
本筆記内容処理システム１を構成するために好適なプログラムは、携帯電話端末、スマートフォンまたは携帯可能なコンピュータである情報処理装置を、当該情報処理装置の操作入力デバイス、マイクまたはカメラを介して、筆記用シート上に筆記された内容を示す筆跡情報に対して実行するべき一または複数の処理を定義する処理定義と当該処理定義を識別する識別子であり前記処理を実行させるために前記筆記用シートに記入される処理識別子との組である、ユーザが任意に決定することができユーザによって任意に設定される設定情報の入力を受け付ける設定情報受付部１０１、前記設定情報受付部１０１で受け付けた設定情報を記憶する設定情報記憶部１０２、及び、前記設定情報記憶部１０２が記憶している設定情報を参照し、前記筆記用シートに記入された処理識別子と組となっている処理定義によって定義されている一または複数の処理を、前記筆記用シートに筆記された内容を示す筆跡情報に対して実行する筆跡情報処理部１０５として機能させるプログラムである。
【発明の効果】
【００１８】
本発明によれば、筆記用シートに筆記された筆跡をディジタルデータ化して得られる筆跡情報の自動処理が可能である上、その処理の態様をユーザが任意に設定でき、かつその時々に応じて容易に処理の態様を選択できるようになる。
【図面の簡単な説明】
【００１９】
【図１】本発明に係る筆記内容処理システムの構成説明図。
【図２】本発明の一実施形態の筆記内容処理システムの主な要素を示す斜視図。
【図３】同実施形態における読取装置のデジタイザ及び筆記帳を示す分解斜視図。
【図４】同実施形態における筆記帳の筆記用シートを示す平面図。
【図５】同実施形態に筆記内容処理システムの機能ブロック図。
【図６】同実施形態における読取装置のデジタイザが有するハードウェア資源を示す図。
【図７】同実施形態における読取装置の電磁ペンが有するハードウェア資源を示す図。
【図８】同実施形態における情報処理装置が有するハードウェア資源を示す図。
【図９】読取装置が検出する筆記具の筆先の位置座標の時系列を例示する図。
【図１０】処理識別子と筆跡情報に対する処理の内容を定義する処理定義との関係を規定する設定情報を例示する図。
【図１１】同実施形態における読取装置のデジタイザによる処理の手順例を示すフローチャート。
【図１２】同実施形態における情報処理装置による処理の手順例を示すフローチャート。
【図１３】同実施形態における読取装置のデジタイザによる処理の手順例を示すフローチャート。
【図１４】同実施形態における情報処理装置による処理の手順例を示すフローチャート。
【図１５】本発明の変形例の一を示す斜視図。
【発明を実施するための形態】
【００２０】
本発明の一実施形態を、図面を参照して説明する。図２に示すように、本実施形態の筆記内容処理システム１は、ユーザが筆記用シート４１に筆記した内容を読み取りディジタルデータ化して筆跡情報を生成する読取装置２と、読取装置２と通信可能に接続し読取装置２が生成した筆跡情報を受け取って処理する情報処理装置３とを要素として構成される。
【００２１】
読取装置２は、筆記用シート４１の集合体である筆記帳４を支持するデジタイザ２１を主体とする。本実施形態では、筆記帳４として、複数枚の筆記用シート４１の一辺を綴じた（特に、無線綴じ）ノートを想定している。この種のノート４は、開いた状態でその見開きの左右のページ４１に筆記を行うことが可能である。これに対応して、図２及び図３に示すように、本実施形態のデジタイザ２１は、ノート４の表表紙側を支持する左盤面２１１と、ノート４の裏表紙側を支持する右盤面２１２とを備える。ノート４を読取装置２とともに使用するにあたっては、ノート４の表表紙を左盤面２１１に対して例えば貼着等により固定し、ノート４の裏表紙を右盤面２１２に対してやはり貼着等により固定する。これは、各筆記用シート４１とデジタイザ２１との相対的な位置関係を不動とする、即ち、ノート４の見開きの左側のページ４１と左盤面２１１との相対的な位置関係を不動とし、かつ右側のページ４１と右盤面２１２との相対的な位置関係を不動とするために必要な措置である。無論、盤面２１１、２１２にポケットやホルダ、クリップ等を設けておき、当該ポケット等を利用してノート４の表表紙や裏表紙を盤面２１１、２１２に保定するものとしても構わない。
【００２２】
左盤面２１１及び右盤面２１２は、可撓性を有した布製、樹脂製または革製等で構成するカバー体２１３に取り付けることにより外観上一体化する。ノート４を開く際には、左盤面２１１及び右盤面２１２が同一平面上にあるようにカバー体２１３を展開する。ノート４を閉じる際には、左盤面２１１を右盤面２１２に重ねるように、カバー体２１３における左盤面２１１と右盤面２１２との間に位置する中間部位をヒンジとしてカバー体２１３を折り曲げ畳む。
【００２３】
デジタイザ２１の左盤面２１１は、ノート４の見開きの表表紙側即ち左側のページ４１に筆記される筆跡を読み取る。並びに、右盤面２１２は、ノート４の見開きの裏表紙側即ち右側のページ４１に筆記される筆跡を読み取る。
【００２４】
図６に示すように、デジタイザ２１は、ＣＰＵ（Ｃｅｎｔｒａｌ  Ｐｒｏｃｅｓｓｉｎｇ  Ｕｎｉｔ）２ａ、メインメモリ２ｂ、補助記憶デバイス２ｃ、左盤面２１１内のアンテナコイル２ｄ、右盤面２１２内のアンテナコイル２ｅ、アンテナコイル２ｄ、２ｅを駆動する駆動回路２ｆ、通信インタフェース２ｇ等のハードウェア資源を有し、これらがコントローラ（システムコントローラ、Ｉ／Ｏコントローラ等）２ｈにより制御されて連携動作するものである。
【００２５】
補助記憶デバイス２ｃは、ＲＯＭ（Ｒｅａｄ  Ｏｎｌｙ  Ｍｅｍｏｒｙ）、フラッシュメモリ、ハードディスクドライブ、その他である。通信インタフェース２ｇは、情報処理装置３と無線または有線で接続してデータ通信を行うためのデバイスであり、無線ＬＡＮ（Ｌｏｃａｌ  Ａｒｅａ  Ｎｅｔｗｏｒｋ）デバイス、ｂｌｕｅｔｏｏｔｈ（登録商標）デバイス、ＵＳＢ（Ｕｎｉｖｅｒｓａｌ  Ｓｅｒｉａｌ  Ｂｕｓ）等に代表される。
【００２６】
ＣＰＵ２ａによって実行されるべきプログラムは補助記憶デバイス２ｃに格納されており、プログラムの実行の際には補助記憶デバイス２ｃからメインメモリ２ｂに読み込まれ、ＣＰＵ２ａによって解読される。そして、当該プログラムにより上記ハードウェア資源を作動して、図５に示す筆跡情報取得部１０３、処理識別子取得部１０４及び開始符号検出部１０６としての機能を発揮する。
【００２７】
ここで、読取装置２がユーザの筆跡を読み取る仕組みについて補足する。本実施形態では、筆跡の読み取りに既知の電磁誘導方式を採用している。この電磁誘導方式では、ユーザが筆記用シート即ちノート４の各ページ４１に筆記を行うための筆記具として、専用の電磁ペン２２を使用する。図７に示すように、電磁ペン２２は、筆記の際に筆記用シート４１上にインクを塗布する芯２ｉと、現在筆記が行われていることを検知するスイッチ２ｊと、筆記が行われている間交番磁界を放射する送信コイル２ｋと、スイッチ２ｊ及び送信コイル２ｋの各々に接続したコントローラ２ｌとを有する。
【００２８】
芯２ｉは、インク収容部に収容しているインクを筆先から滲出させる、筆記具本来の役割を担う周知のものであり、その筆先が電磁ペン２２の筐体から突出している。但し、芯２ｉは、黒鉛の芯を保持するシャープペンシル等であってもよい。芯２ｉは、コイルばね等の弾性付勢部材（図示せず）により、常時先端側に向けて弾性付勢されている。ユーザが電磁ペン２２を使用して筆記を行うとき、筆記用シート４１側から筆先に作用する押圧力が、この芯２ｉを若干ではあるが筐体内に向かって後退させる。すると、筐体に対して相対変位した芯２ｉがスイッチ２ｊを押下し、このスイッチ２ｊがＯＮ状態となる。ユーザが筆記を中断する、即ち筆先を筆記用シート４１から離間させると、筆先に作用していた押圧力が消失し、弾性付勢部材の発揮する弾性付勢力により、後退していた芯２ｉが原位置に復帰する。さすれば、スイッチ２ｊが押下されていないＯＦＦ状態となる。
【００２９】
送信コイル２ｋは、筆先付近で芯２ｉの周囲に巻き回されている。コントローラ２ｌは、発振回路を包含しており、スイッチ２ｊがＯＮ状態である間、つまりはユーザが筆記を行っている間送信コイル２ｋに通電して、送信コイル２ｋにおいて磁界を発生させる。
【００３０】
他方、デジタイザ２１の左盤面２１１及び右盤面２１２にはそれぞれ、送信コイル２ｋから放射される交番磁界を受信するアンテナコイル２ｄ、２ｅが実装されている。アンテナコイル２ｄ、２ｅは、互いに直交する二次元（Ｘ軸及びＹ軸）方向に多数の長方形コイルを平行に配列してなるもので、Ｘ軸方向に並ぶ長方形コイルが電磁誘導を通じて電磁ペン２２の筆先のＸ軸方向の位置座標を検出し、Ｙ軸方向に並ぶ長方形コイルが同じく電磁誘導を通じて電磁ペン２２の筆先のＹ軸方向の位置座標を検出する。
【００３１】
ユーザが筆記を行う際、電磁ペン２２の筆先とデジタイザ２１（のアンテナコイル２ｄ、２ｅ）との間に積層された複数枚の筆記用シート４１が介在することがあるが、電磁誘導方式によれば、筆先とデジタイザ２１との間にある程度の距離が生じていても、筆先の位置座標を適正に検出することができる。
【００３２】
因みに、電磁ペン２２の送信コイル２ｋから交番磁界を放射させるための電力は、電磁ペン２２に内蔵したバッテリから供給してもよいし、デジタイザ２１から無線電力伝送の形で供給してもよい。後者の場合、電磁ペン２２の送信コイル２ｋに、バッテリに替えてキャパシタを接続しておく。その上で、デジタイザ２１のアンテナコイル２ｄ、２ｅに交流電圧を印加することで、当該アンテナコイル２ｄ、２ｅと電磁ペン２２の送信コイル２ｋとの相互誘導、さらには電磁ペン２２における送信コイル２ｋとキャパシタとのＬ−Ｃ共振を惹起し、電磁ペン２２側に電力を蓄える。そして、その蓄えた電力を以て、電磁ペン２２の送信コイル２ｋから交番磁界を放射する。
【００３３】
デジタイザ２１は、ユーザが筆記を行っている間、アンテナコイル２ｄ、２ｅを介して反復的に検出される電磁ペン２２の筆先の位置座標（Ｘ，Ｙ）の時系列を、順次メインメモリ２ｂ若しくは補助記憶デバイス（ＲＯＭを除く）２ｃに記憶して保持する。図９に、筆先の移動の軌跡、及びこれに対応してメインメモリ２ｂ若しくは補助記憶デバイス２ｃに記憶保持される筆先の位置座標（Ｘ，Ｙ）の時系列の一例を示す。一つのストロークの位置座標（Ｘ，Ｙ）の時系列は、ユーザが筆先を筆記用シート４１に接触させてから、その筆先を筆記用シート４１から離間させるまでの一筆書き（ストローク）の軌跡を表している。なお、各ストローク（または、そのストロークに含まれる筆先の各位置座標（Ｘ，Ｙ））毎に、そのストロークが行われた（または、各位置座標（Ｘ，Ｙ）を検出した）時刻を示すタイムスタンプ情報を付加してもよいが、そのようなタイムスタンプ情報は必須ではない。
【００３４】
なお、本実施形態では、左盤面２１１に載置されるノート４の左側のページ４１上の位置と、右盤面２１２に載置されるノート４の右側のページ４１上の位置とを、単一の座標系で取り扱うこととする。ある位置座標（Ｘ，Ｙ）は、左盤面２１１及び右盤面２１２の両方を合わせた平面領域のうちの一点を指し示す。図４に示すように、ノート４の左側のページ４１の左上の隅角の位置座標を原点（０，０）とし、右方向をＸ軸方向、下方向をＹ軸方向とおくと、（０，０）、（ｘ１，０）、（０，ｙ１）及び（ｘ１，ｙ１）の四点で規定される方形状の領域が左盤面２１１上の領域であり、（ｘ１，０）、（ｘ２，０）、（ｘ１，ｙ１）及び（ｘ２，ｙ１）の四点で規定される方形状の領域が右盤面２１２上の領域となる。要するに、位置座標（Ｘ，Ｙ）は、その指し示す位置が左盤面２１１上にあるのか右盤面２１２上にあるのかをも特定する。換言すれば、左盤面２１１上の位置と右盤面２１２上の位置とが同一の位置座標値（Ｘ，Ｙ）をとることはない。
【００３５】
読取装置２の各機能ブロックに関して、筆跡情報取得部１０３は、ユーザが筆記用シートであるノート４の各ページ４１に筆記した内容を示す筆跡情報を取得する。筆跡情報は、ノート４の各ページ４１に予め設けられている筆記領域４１１内に筆記された筆跡の情報である。筆跡情報取得部１０３は、アンテナコイル２ｄ、２ｅを介して検出され、メインメモリ２ｂ若しくは補助記憶デバイス２ｃに記憶保持される筆先の位置座標（Ｘ，Ｙ）の時系列のうちの、筆記領域４１１に相当する範囲内に属する位置座標の時系列を、筆跡情報として取得する。
【００３６】
処理識別子取得部１０４は、ユーザがノート４の各ページ４１に記入する処理識別子を取得する。処理識別子の役割については後述するが、処理識別子は、ノート４の各ページ４１に予め設けられている処理識別子記入領域４１２内に記入される符号であって、本実施形態では０から７までの何れかの数字である。処理識別子記入領域４１２は、筆記領域４１１とは重なり合わない。処理識別子取得部１０４は、アンテナコイル２ｄ、２ｅを介して検出され、メインメモリ２ｂ若しくは補助記憶デバイス２ｃに記憶保持される筆先の位置座標（Ｘ，Ｙ）の時系列のうちの、処理識別子記入領域４１２に相当する範囲内に属する位置座標の時系列を、処理識別子として取得する。
【００３７】
開始符号検出部１０６は、ユーザがノート４の各ページ４１に記入する開始符号を検出する。開始符号は、ノート４の各ページ４１に予め設けられている開始符号記入領域４１３内に記入される、処理識別子とは別の符号であって、本実施形態ではチェックマークや塗り潰し等である。開始符号記入領域４１３は、筆記領域４１１とも処理識別子記入領域４１２とも重なり合わない。開始符号検出部１０６は、アンテナコイル２ｄ、２ｅを介して検出され、メインメモリ２ｂ若しくは補助記憶デバイス２ｃに記憶保持される筆先の位置座標（Ｘ，Ｙ）の時系列のうちの、開始符号記入領域４１３に相当する範囲内に属する位置座標の時系列を、開始符号として取得する。
【００３８】
読取装置２のデジタイザ２１は、ユーザがノート４の開始符号記入領域４１３に開始符号を記入したことを検出したときに、上記の筆跡情報及び処理識別子を、ページ４１単位のデータとして、メインメモリ２ｂ若しくは補助記憶デバイス（ＲＯＭを除く）２ｃの所要の記憶領域に保存する。即ち、左盤面２１１上にある左側のページ４１の開始符号記入領域４１３に開始符号が記入された場合には、それまでに左盤面２１１のアンテナコイル２ｄを介して検出し記憶した筆先の位置座標（Ｘ，Ｙ）の時系列を、一ページのデータとして保存する。このページのデータには、左側のページ４１の筆記領域４１１に筆記された内容を示す筆跡情報、及び同ページ４１の処理識別子記入領域４１２に記入された処理識別子が含まれる。
【００３９】
翻って、右盤面２１２上にある右側のページ４１の開始符号記入領域４１３に開始符号が記入された場合には、それまでに右盤面２１１のアンテナコイル２ｅを介して検出し記憶した筆先の位置座標の時系列を、一ページのデータとして保存する。このページのデータには、右側のページ４１の筆記領域４１１に筆記された内容を示す筆跡情報、及び同ページ４１の処理識別子記入領域４１２に記入された処理識別子が含まれる。
【００４０】
ページ４１のデータを保存した後に得られる筆先の位置座標（Ｘ，Ｙ）は、別の新たなページのデータとして取り扱う。即ち、ユーザが左盤面２１１上にある左側のページ４１の開始符号記入領域４１３に開始符号を記入した後、左盤面２１１のアンテナコイル２ｄを介して検出される筆先の位置座標の時系列は、先に保存した左側のページ４１のデータとは別のページ４１のデータとなる。当該ページ４１のデータは、ユーザが再び左盤面２１１上のページ４１の開始符号記入領域４１３に開始符号を記入したときに保存することとなる。
【００４１】
同様に、ユーザが右盤面２１２上にある右側のページ４１の開始符号記入領域４１３に開始符号を記入した後、右盤面２１２のアンテナコイル２ｅを介して検出される筆先の位置座標の時系列は、先に保存した右側のページ４１のデータとは別のページ４１のデータとなる。当該ページ４１のデータは、ユーザが再び右盤面２１１上のページ４１の開始符号記入領域４１３に開始符号を記入したときに保存することとなる。
【００４２】
なお、通常、ノート４のあるページ４１の開始符号記入領域４１３に開始符号を記入したユーザは、同ページ４１にさらなる筆記をせず、同ページ４１をめくって新たなページ４１を盤面２１１、２１２上に表出させた上で、その新たなページ４１に筆記を行う。
【００４３】
しかして、読取装置２のデジタイザ２１は、このようにして保存した各ページ４１毎のデータを、情報処理装置３に向けて、通信インタフェース２ｇを介して送信する。デジタイザ２１と情報処理装置３との間のデータの送受信の手順については、後述する。
【００４４】
図１１に、読取装置２のデジタイザ２１がプログラムに従い実行する、筆跡情報及び処理識別子の保存の手順例を示す。デジタイザ２１は、左盤面２１１のアンテナコイル２ｄまたは右盤面２１２のアンテナコイル２ｅを介して電磁ペン２２の筆先の位置座標（Ｘ，Ｙ）を検出したときに（ステップＳ２１）、その検出した位置座標を順次メインメモリ２ｂ若しくは補助記憶デバイス２ｃに一時的に記憶保持する（ステップＳ２２）。
【００４５】
そして、その位置座標の時系列に基づき、左盤面２１１または右盤面２１２上で、筆記用シート４１の開始符号記入領域４１３に開始符号が記入されたことを知得した場合には（ステップＳ２３）、同筆記用シート４１の筆記領域４１１に筆記された内容を示す筆跡情報、及び同筆記用シート４１の処理識別子記入領域４１２に記入された処理識別子を含むデータを、情報処理装置３に送信するべき筆跡のデータとして、筆記用シート４１単位で保存する（ステップＳ２４）。デジタイザ２１は、以上のステップＳ２１ないしＳ２４を反復的に遂行する。
【００４６】
情報処理装置３は、例えば携帯電話端末、スマートフォン、携帯可能なビデオゲーム機やパーソナルコンピュータ（ノートブック型コンピュータ、タブレット型コンピュータ、携帯情報端末等を含む）等の汎用的なコンピュータである。図８に示すように、情報処理装置３は、ＣＰＵ３ａ、メインメモリ３ｂ、補助記憶デバイス３ｃ、操作入力デバイス３ｄ、オーディオコーデック３ｅ、ビデオコーデック３ｆ、通信インタフェース３ｇ、ディスプレイ３ｈ、カメラ３ｉ等のハードウェア資源を有し、これらがコントローラ（システムコントローラ、Ｉ／Ｏコントローラ等）３ｊにより制御されて連携動作するものである。
【００４７】
補助記憶デバイス３ｃは、ＲＯＭ、フラッシュメモリ、ハードディスクドライブ、光学ディスクドライブ、その他である。操作入力デバイス３ｄは、ユーザが手指で操作可能なタッチパネル、トラックパッド若しくはペンタブレット、マウスといったポインティングデバイスや、キーボート（ポインティングデバイスを使用するいわゆるソフトウェアキーボードであることがある）、押下ボタン（テンキーやカーソルキー等を含む）等である。
【００４８】
オーディオコーデック３ｅは、符号化されている音声データを復号化してスピーカから音声出力したり、マイクを介して収音した音声を符号化したりする。ビデオコーデック３ｆは、ＣＰＵ３ａより受けた描画指示をもとに表示させるべき画面を生成しその画面信号をディスプレイ３ｈに向けて送出するＧＰＵ（Ｇｒａｐｈｉｃｓ  Ｐｒｏｃｅｓｓｉｎｇ  Ｕｎｉｔ）、画面のデータを一時的に格納しておくビデオメモリ等を要素とする。オーディオコーデック３ｅ、ビデオコーデック３ｆはそれぞれ、ハードウェアでなくソフトウェアとして実装することも可能である。
【００４９】
通信インタフェース３ｇは、読取装置２のデジタイザ２１と無線または有線で接続してデータ通信を行うためのデバイス、及び、インターネットや公衆電話網、携帯電話網、ＷＡＮ（Ｗｉｄｅ  Ａｒｅａ  Ｎｅｔｗｏｒｋ）、ＬＡＮ等の電気通信回線を経由したデータ通信を行うためのデバイスであり、無線ＬＡＮデバイス、ｂｌｕｅｔｏｏｔｈ（登録商標）デバイス、携帯電話網に接続するための無線デバイス、ＵＳＢ、ＮＩＣ（Ｎｅｔｗｏｒｋ  Ｉｎｔｅｒｆａｃｅ  Ｃａｒｄ）等に代表される。
【００５０】
ＣＰＵ３ａによって実行されるべきプログラムは補助記憶デバイス３ｃに格納されており、プログラムの実行の際には補助記憶デバイス３ｃからメインメモリ３ｂに読み込まれ、ＣＰＵ３ａによって解読される。本実施形態では、既知のＯＳ（Ｏｐｅｒａｔｉｎｇ  Ｓｙｓｔｅｍ）プログラムやこれに付帯する各種デバイスドライバプログラムが予めインストールされ、他のプログラムによる上記ハードウェア資源の利用を仲介する。そして、アプリケーションプログラムとして、電子メールクライアントプログラムやウェブブラウザプログラム、カメラ撮影制御プログラム等がインストールされている。その上で、本実施形態の筆記内容処理システム１を構成するために必要なプログラムがインストールされており、これらプログラムにより上記ハードウェア資源を作動して、図５に示す設定情報受付部１０１、設定情報記憶部１０２及び筆跡情報処理部１０５としての機能を発揮する。
【００５１】
情報処理装置３の各機能ブロックに関して、設定情報受付部１０１は、ユーザによる設定情報の入力を受け付け、設定情報記憶部１０２は、その受け付けた設定情報を記憶して保持する。設定情報とは、ユーザが筆記用シート４１上に筆記した内容を示す筆跡情報に対して実行するべき一または複数の処理を定義する処理定義と、当該処理定義を識別する識別子でありユーザが前記処理を実行させるために筆記用シート４１に記入する処理識別子との組である。既に述べた通り、処理対象となる筆跡情報は、筆記用シート４１の処理識別子記入領域４１２に記入された処理識別子とともに読取装置２のデジタイザ２１において取得され、通信インタフェース２ｇ、３ｇを介して情報処理装置３にもたらされる。
【００５２】
設定情報の内容即ち各処理識別子毎の処理定義は、ユーザが任意に決定することができる。図１０に、設定情報の例を示している。本実施形態では、筆跡情報に対して実行する処理内容の定義として、筆跡情報に付加するメタ情報の指定、筆跡情報の電子メールによる送信の宛先アドレスの指定、筆跡情報のアップロード先となる外部の情報処理装置（サーバ（いわゆるクラウドサービスであることがある）やパーソナルコンピュータ等）。図示せず）の指定等を想定している。図１０に示した例に則して述べると、
・処理識別子の数字が０であれば、筆跡情報を情報処理装置３内（の補助記憶デバイス（ＲＯＭを除く）３ｃ）に保存する。これは、保存という単一の処理を筆跡情報に対して実行することを意味する
・処理識別子の数字が１であれば、筆跡情報に「保管」というメタ情報（筆跡情報を分類するタグ）を付した上で情報処理装置３内に保存する。これは、メタ情報の付与と保存という二つの処理を筆跡情報に対して実行することを意味する
・処理識別子の数字が２であれば、筆跡情報に「至急」というメタ情報を付した上で情報処理装置３内に保存するとともに、同筆跡情報を宛先アドレス「ａｂｃ＠ｍａｉｌ．ｘｘｘ」に向けて電子メールの形で送信する。これは、メタ情報の付与と電子メール送信という二つの処理を筆跡情報に対して実行することを意味する
・処理識別子の数字が３であれば、筆跡情報に「重要」というメタ情報を付した上で情報処理装置３内に保存するとともに、同筆跡情報を宛先アドレス「ｕｓｅｒ＠ｍａｉｌ．ｙｙｙ」に向けて電子メールの形で送信する。並びに、ＵＲＩ（Ｕｎｉｆｏｒｍ  Ｒｅｓｏｕｒｃｅ  Ｉｄｅｎｔｉｆｉｅｒ）「ｗｗｗ．ｘｘｘｘ．ｃｏｍ／ｙｙ＿ｕｓｅｒ／ａ／」で指定される外部の情報処理装置に向けて（より詳しくは、ドメイン名「ｗｗｗ．ｘｘｘｘ．ｃｏｍ」示される情報処理装置内における「／ｙｙ＿ｕｓｅｒ／ａ／」で指定される所定のディレクトリまたはフォルダに格納するべく）、ＨＴＴＰ（ＨｙｐｅｒＴｅｘｔ  Ｔｒａｎｓｆｅｒ  Ｐｒｏｔｏｃｏｌ）やＦＴＰ（Ｆｉｌｅ  Ｔｒａｎｓｆｅｒ  Ｐｒｏｔｏｃｏｌ）、ＳＭＢ（Ｓｅｒｖｅｒ  Ｍｅｓｓａｇｅ  Ｂｌｏｃｋ）等の所定の通信プロトコルに則り、同筆跡情報をアップロード送信する。これは、メタ情報の付与、電子メール送信及びアップロードという三つの処理を筆跡情報に対して実行することを意味する
・処理識別子の数字が４であれば、筆跡情報に「保管」及び「友人」というメタ情報を付した上で情報処理装置３内に保存するとともに、ＵＲＩ「ｗｗｗ．ｚｚｚｚ．ｊｐ／ｙｙ＿ｕｓｅｒ／」で指定される外部の情報処理装置に向けて、所定の通信プロトコルに則り、同筆跡情報をアップロード送信する。これは、メタ情報の付与とアップロードという二つの処理を筆跡情報に対して実行することを意味する
・処理識別子の数字が５であれば、筆跡情報を複数の宛先アドレス「ａｂｃ＠ｍａｉｌ．ｘｘｘ」及び「ｕｓｅｒ＠ｍａｉｌ．ｙｙｙ」に向けて電子メールの形で送信する。これは、二件の電子メール送信という二つの処理を筆跡情報に対して実行することを意味する
・処理識別子の数字が６であれば、筆跡情報を宛先アドレス「ｕｓｅｒ＠ｍａｉｌ．ｙｙｙ」に向けて電子メールの形で送信する。並びに、ＵＲＩ「ｗｗｗ．ｘｘｘｘ．ｃｏｍ／ｙｙ＿ｕｓｅｒ／ｂ／」及び「１９２．１６８．０．１００／ｆｉｌｅｓ／」で指定される複数の外部の情報処理装置に向けて、所定の通信プロトコルに則り、同筆跡情報をアップロード送信する。これは、電子メール送信及び二つの情報処理装置へのアップロードという三つの処理を筆跡情報に対して実行することを意味する
・処理識別子の数字が７であれば、筆跡情報にメタ情報としてタイムスタンプ（情報処理装置３の計時機能から取得できる）を付した上で情報処理装置３内に保存するとともに、ＵＲＩ「ｃｃｃ．ｎｅｔ／ｙｙ＿ｕｓｅｒ／ｃａｌｅｎｄｅｒ／」で指定される外部の情報処理装置に向けて、所定の通信プロトコルに則り、同筆跡情報をアップロード送信する。これは、メタ情報の付与とアップロードという二つの処理を筆跡情報に対して実行することを意味する
というような態様である。
【００５３】
因みに、筆跡情報のアップロード先としてＵＲＩで示される外部の情報処理装置が、いわゆるブログやＳＮＳ（Ｓｏｃｉａｌ  Ｎｅｔｗｏｒｋｉｎｇ  Ｓｅｒｖｉｃｅ）、カレンダー若しくはスケジュール帳、スケジュール管理機能を有するグループウェア等のウェブアプリケーションまたはウェブサービスを提供するサーバである場合、当該サーバが筆跡情報を受信した日時または受信した筆跡情報に付されているタイムスタンプにより示される日時に応じた処理を、当該サーバにおいて実行することがある。例えば、２０１５年４月１日に当該サーバに送信した筆跡情報、または２０１５年４月１日のタイムスタンプとともに当該サーバに送信した筆跡情報が、２０１５年４月１日にブログに投稿された画像としてブログシステム上で表示されたり、カレンダー若しくはスケジュール帳の２０１５年４月１日の項目として登録されたりする等の処理がこれに当たる。
【００５４】
設定情報は、ユーザが情報処理装置３に直接手入力するか、ユーザが音声で指示するか、情報処理装置３以外にユーザが使用している情報処理装置（携帯電話端末、スマートフォン、携帯可能なビデオゲーム機やパーソナルコンピュータ等。図示せず）から電気通信回線経由で送信されるか、所定の記憶装置若しくは記録媒体に保存されているか、及び／または、用紙類に記載されている。故に、情報処理装置３の設定情報受付部１０１は、ユーザによる設定情報の手入力を操作入力デバイス３ｄを介して受け付け、ユーザによる設定情報の音声入力をマイクを介して受け付け、別の情報処理装置から送信される設定情報を通信インタフェース３ｇを介して受信し、所定の記憶装置若しくは記録媒体から設定情報を読み出し、及び／または、カメラモジュール３ｉを介して用紙類に記載された設定情報を光学的に読み取ることで、ユーザの意に沿った（ユーザにより作成される）設定情報の入力を受け付ける。そして、設定情報記憶部１０２は、このようにして受け付けた設定情報を、メインメモリ３ｂ若しくは補助記憶デバイス（ＲＯＭを除く）３ｃの所要の記憶領域を利用して記憶保持する。
【００５５】
図１２に、情報処理装置３がプログラムに従い実行する、設定情報の受付の手順例を示す。情報処理装置３は、ある処理識別子に関連付けるべき一または複数の処理を定義する処理定義のユーザによる手入力または音声入力を受け付け、処理定義が記述されているデータを受信し、処理定義が記述されているデータを読み出し、または処理定義の記述を光学的に読み取る等の態様で、ユーザによる設定情報の入力を受け付ける（ステップＳ３１）。そして、その受け付けた処理識別子及び処理定義の組を、設定情報としてメインメモリ３ｃ若しくは補助記憶デバイス３ｃに保存する（ステップＳ３２）。情報処理装置３は、以上のステップＳ３１ないしＳ３２を反復的に遂行する。
【００５６】
筆跡情報処理部１０５は、読取装置２のデジタイザ２１から送信される筆跡情報及びこれに付随する処理識別子を、通信インタフェース３ｇを介して受信する。それら筆跡情報及び処理識別子は、メインメモリ３ｂ若しくは補助記憶デバイス（ＲＯＭを除く）３ｃに一時的に記憶される。そして、設定情報記憶部１０２に記憶している設定情報を参照して、受信した処理識別子と組となっている処理定義により定義された一または複数の処理を、受信した筆跡情報に対して実行する。
【００５７】
より具体的に述べると、情報処理装置３は、読取装置２のデジタイザ２１に対し、デジタイザ２１が取得した筆跡情報及び処理識別子の送信を要求する旨の指令を、通信インタフェース３ｇを介して送信する。この指令の送信は、所定間隔（例えば、１０秒毎）に間欠的に行う。
【００５８】
他方、デジタイザ２１は、ユーザがノート４の何れかのページ４１の開始符号記入領域４１３に開始符号を記入したことを検出する都度、当該ページ４１に筆記された内容を表す筆跡情報及び同ページ４１に記入された処理識別子を含むデータ、即ち当該ページ４１における筆先の位置座標（Ｘ，Ｙ）の時系列を、ページ４１単位で保存して蓄積している。これと並行して、デジタイザ２１は、情報処理装置３からもたらされる、筆跡情報及び処理識別子の送信を要求する旨の指令を恒常的に待ち受けており、当該指令を通信インタフェース２ｇを介して受信したときに、保存していたページ４１単位の筆跡情報及び処理識別子を含むデータを、情報処理装置３に向けて通信インタフェース２ｇを介して送信する。開始符号の記入を検出するまでの間に複数ページ分のデータを蓄積していた場合には、その複数ページ分のデータをまとめて情報処理装置３に送信することとなる。
【００５９】
なお、読取装置２のデジタイザ２１から情報処理装置３に筆跡情報を送信する際には、これを筆先の位置座標の時系列の形のままで送信してもよいし、当該位置座標の時系列を基にページ４１の筆記領域４１１に筆記された内容を表すベクトル画像またはラスタ画像（ビットマップ画像）を生成して送信してもよい。
【００６０】
同様に、デジタイザ２１から情報処理装置３に処理識別子を送信する際には、これを筆先の位置座標の時系列の形のままで送信してもよいし、当該位置座標の時系列を基にページ４１の処理識別子記入領域４１２に記入された処理識別子を表すベクトル画像またはラスタ画像を生成して送信してもよい。あるいは、デジタイザ２１側でＯＣＲ（Ｏｐｔｉｃａｌ  Ｃｈａｒａｃｔｅｒ  Ｒｅｃｏｇｎｉｔｉｏｎ）を実行して処理識別子記入領域４１２に記入された処理識別子の数字を判別した上、その処理識別子の数字を数値として送信してもよい。
【００６１】
情報処理装置３は、デジタイザ２１に向けて発した上記の指令に対する応答としてデジタイザ２１からもたらされる、ノート４の各ページ４１毎の筆跡情報及び処理識別子のデータを通信インタフェース３ｇを介して受信する。各ページ４１に係る処理識別子が筆先の位置座標（Ｘ，Ｙ）の時系列、ベクトル画像またはラスタ画像の形でデジタイザ２１からもたらされる場合には、情報処理装置３側でＯＣＲを実行し、処理識別子として各ページ４１の処理識別子記入領域４１２に記入された数字を知得する。尤も、デジタイザ２１側で既にＯＣＲが実行されており、処理識別子の数字が数値としてデジタイザ２１からもたらされる場合には、情報処理装置３側でＯＣＲを実行して処理識別子が何であるかを判別する必要はない。
【００６２】
しかして、筆跡情報処理部１０５は、設定情報記憶部１０２に記憶している設定情報を検索し、知得した処理識別子の値と対応付けられている一または複数の処理に係る処理定義を知得する。その上で、処理識別子とともにデジタイザ２１からもたらされる、ノート４の左側のページ４１または右側のページ４１の筆記領域４１１に筆記された内容を示す筆跡情報に対して、当該処理定義で定義されている一または複数の処理、即ち同ページ４１の処理識別子記入領域４１２に記入された処理識別子に対応する一または複数の処理を実行する。
【００６３】
筆跡情報に対する処理として、筆跡情報を情報処理装置３の補助記憶デバイス３ｃに保存する際には、常に一定の保存先ディレクトリまたはフォルダ（ＯＳまたはアプリケーションプログラムが提供するファイルシステムによる）に保存してもよいし、当該筆跡情報に係る処理識別子または当該筆跡情報に付されるメタ情報に応じて、保存先のディレクトリまたはフォルダを選定するようにしてもよい。後者の場合、処理識別子またはメタ情報に応じて保存先が異なることとなり、複数のページ（複数枚の筆記用シート）４１の筆跡情報を、情報処理装置３内でページ（筆記用シート）４１毎に分別することが可能となる。処理識別子またはメタ情報に対応する保存先のディレクトリまたはフォルダは、予めユーザによって指定され、設定情報として設定情報記憶部１０２に記憶していることは言うまでもない。
【００６４】
筆跡情報を電子メールとして送信、または外部のサーバ若しくはパーソナルコンピュータ等にアップロードする際には、当該筆跡情報に付されるメタ情報または処理識別子をも、当該筆跡情報とともに送信してよい。
【００６５】
筆跡情報を外部のサーバ若しくはパーソナルコンピュータ等にアップロードする際には、当該サーバ等へのアクセス権限を認証するためのユーザアカウント情報、典型的にはユーザＩＤ及びパスワードが必要となることがある。そのようなユーザアカウント情報もまた、設定情報の処理定義の一部として設定情報記憶部１０２に記憶される。
【００６６】
図１３及び図１４に、読取装置２のデジタイザ２１及び情報処理装置３の各々がプログラムに従い実行する、筆跡情報及び処理識別子の送受信及び筆跡情報の処理の手順例を示す。情報処理装置３は、デジタイザ２１に向けて所定間隔で筆跡情報及び処理識別子の要求を送信する旨の指令を送信し（ステップＳ３３）、デジタイザ２１からもたらされるそれらのデータを待ち受ける。
【００６７】
デジタイザ２１は、情報処理装置３からもたらされる上記の指令を待ち受けており、当該指令を受信したときに（ステップＳ２５）、自身のメインメモリ２ｂ若しくは補助記憶デバイス２ｃに保存し蓄積している、筆記用シート４１の筆記領域４１１に筆記された内容を示す筆跡情報、及び同筆記用シート４１の処理識別子記入領域４１２に記入された処理識別子を含む筆記用シート４１単位のデータを情報処理装置３に向けて送信する（ステップＳ２６）。しかる後、送信した筆跡情報及び処理識別子のデータに相当する筆先の位置座標の時系列を、メインメモリ２ｂ若しくは補助記憶デバイス２ｃから消去する（ステップＳ２７）。デジタイザは、以上のステップＳ２５ないしＳ２７を反復的に遂行する。
【００６８】
情報処理装置３は、デジタイザ２１からもたらされる筆記用シート４１単位の筆跡情報及び処理識別子を受信したとき（ステップＳ３４）、受信した処理識別子に対応付けられている処理定義を設定情報から抽出し（ステップＳ３７）、その処理定義で定義された処理、例えばメタ情報の付加、電子メールの形での送信、アップロード等を、当該処理識別子と組となっている筆跡情報、即ち当該処理識別子が記入された筆記用シート４１に係る筆跡情報に対して実施する（ステップＳ３８）。デジタイザ２１から複数ページ（複数枚の筆記用シート４１）分の筆跡情報及び処理識別子を一括に受信した場合、各筆記用シート４１毎に記入された処理識別子が異なることで、各筆記用シート４１に筆記された内容に係る筆記情報に対して実施する処理が筆記用シート４１毎に異なり得ることは言うまでもない。
【００６９】
但し、デジタイザ２１からもたらされる処理識別子が筆先の位置座標の時系列、ベクトル画像またはラスタ画像の形をとる場合において、ＯＣＲによってその処理識別子の数字が何であるかを判別できなかったならば（ステップＳ３５）、所定のエラー処理を実行する（ステップＳ３６）。ステップＳ３６では、例えば、デジタイザ２１からもたらされた筆跡情報（及び、処理識別子）を処理することなく破棄する、補助記憶デバイス３ｃの所定のディレクトリまたはフォルダに保存する、または、特定の処理識別子（例えば、０）と組となっている処理定義で定義された処理を実行するようにする。情報処理装置３は、以上のステップＳ３３ないしＳ３８を反復的に遂行する。
【００７０】
なお、情報処理装置３におけるステップＳ３５以降の処理は、筆跡情報及び処理識別子の受信ステップＳ３４の直後に実行されるとは限られない。ステップＳ３１にて得た筆跡情報及び処理識別子をメインメモリ３ｂ若しくは補助記憶デバイス３ｃに一旦記憶しておき、時間を経過した後に（特に、ユーザの手により操作入力デバイス３ｄを介した明示的な指令がなされた後に）ステップＳ３５以降の処理を実行開始するようにしても構わない。複数のページ４１に係る筆跡情報及び処理識別子を蓄積し、それら複数の筆跡情報及び処理識別子についてのステップＳ３５以降の処理を、バッチ処理として一括して行ってもよい。
【００７１】
まとめると、ノート４の各ページ４１に筆記した内容をディジタルデータ化して処理し活用することを目論むユーザは、筆記具である電磁ペン２２を使用して、対象のページ４１の処理識別子記入領域４１２に所望の処理に対応した処理識別子を記入した上で、同ページ４１の開始符号記入領域４１３に開始符号を記入する。デジタイザ２１は、電磁ペン２２の筆先の位置座標（Ｘ，Ｙ）を反復的に検出することを通じて、ユーザによる開始符号の記入操作を感知する。そして、開始符号の記入操作をトリガとして、同ページ４１の筆記領域４１１に筆記された内容を示す筆跡情報と、同ページ４１の処理識別子記入領域４１２に記入された処理識別子とを対にして保存するとともに、その保存した筆跡情報及び処理識別子を適時情報処理装置３に送信する。
【００７２】
ユーザが開始符号を記入した対象のページ４１に係る筆跡情報及び処理識別子を受信した情報処理装置３は、自身が記憶保持している設定情報に基づき、当該筆跡情報に対して実行するべき一または複数の処理の内容を知得して、当該処理を実行する。結局、筆跡情報処理部１０５は、ユーザの手によってノート４のページ４１に開始符号が記入されたことを契機（条件）として、同ページ４１の筆跡情報に対する処理を実行するということになる。
【００７３】
本実施形態では、複数枚の筆記用シート４１を有する筆記帳４とともに用いられるものであって、ユーザが前記筆記用シート４１上に筆記した内容を示す筆跡情報に対して実行するべき一または複数の処理を定義する処理定義と当該処理定義を識別する識別子でありユーザが前記処理を実行させるために前記筆記用シート４１に記入する処理識別子との組である設定情報の、ユーザによる入力を受け付ける設定情報受付部１０１と、前記設定情報受付部１０１で受け付けた設定情報を記憶する設定情報記憶部１０２と、ユーザが前記筆記用シート４１に筆記した筆跡を筆跡情報として取得する筆跡情報取得部１０３と、ユーザが前記筆記用シート４１に記入した処理識別子を取得する処理識別子取得部１０４と、前記設定情報記憶部１０２が記憶している設定情報を参照し、前記処理識別子取得部１０４で取得した処理識別子と組となっている処理定義によって定義されている一または複数の処理を、前記筆跡情報取得部１０３で取得した筆跡情報に対して実行する筆跡情報処理部１０５とを具備する筆記内容処理システム１を構成した。
【００７４】
本実施形態によれば、筆記用シート４１に筆記された筆跡をディジタルデータ化して得られる筆跡情報の自動処理が可能となる。しかも、設定情報の入力を通じて、筆跡情報に対する処理の態様をユーザが任意に設定できる。さらには、筆記用シート４１に記入する処理識別子の選択を通じて、その時々に応じた適切な処理をユーザが容易に選択できるようになる。
【００７５】
前記処理識別子が、前記筆記帳４を構成する各筆記用シート４１毎に記入されるものであり、前記筆跡情報処理部１０５が、ある筆記用シート４１に記入された処理識別子と組となっている処理定義によって定義されている一または複数の処理を、同一の筆記用シート４１に筆記された内容を示す筆跡情報に対して実行するため、筆記帳４の各ページ４１毎に、当該ページ４１に筆記された内容に係る筆跡情報に対する処理を簡便に指定することができる。
【００７６】
ユーザが前記処理識別子とは別に前記筆記用シート４１に記入する、前記処理の実行を開始する旨の意思を示す開始符号を検出する開始符号検出部１０６を具備し、前記筆跡情報処理部１０５が、前記筆記用シート４１に前記開始符号が記入されたことを前記開始符号検出部１０６で検出したことを条件として、前記処理識別子と組となっている処理定義によって定義されている一または複数の処理を前記筆跡情報に対して実行するものとしたため、ユーザが筆跡情報を処理するタイミングを任意に制御できるようになる。即ち、ユーザが筆記用シート４１に必要十分な筆記を行った時点で、その筆記内容に対する所望の処理の実行を開始することができる。加えて、その処理の実行後に当該筆記用シート４１に追記した内容は処理対象としないようにすることも可能である。
【００７７】
前記設定情報の処理定義に、前記筆跡情報に対する処理の内容を規定するものとして、筆跡情報に付加するメタ情報の指定、筆跡情報の保存先のディレクトリまたはフォルダの指定、筆跡情報の電子メールによる送信の宛先アドレスの指定、筆跡情報のアップロード先の指定、のうち少なくとも一つが含まれ、前記筆跡情報処理部１０５が、前記設定情報に基づき、処理定義により指定されたメタ情報を前記筆跡情報に付加、処理定義により指定された保存先のディレクトリまたはフォルダへの前記筆跡情報の保存、処理定義により指定された宛先アドレスに向けて前記筆跡情報を電子メールとして送信、処理定義により指定された宛先に向けて前記筆跡情報をアップロード、のうち少なくとも一つの処理を実行するため、筆記用シート４１に筆記した内容をディジタルデータ化した筆跡情報をユーザの任意に応じて分別して保存したり、送信の形態や送信先を制御したりすることが可能であり、高い利便性を提供できる。
【００７８】
読取装置２（のデジタイザ２１）は、複数ページ分の筆跡情報及び処理識別子のデータを保存して蓄積しておくことができる。これにより、情報処理装置３が不在の状況や、情報処理装置３のバッテリが切れている状況等においても、読取装置２単独でユーザの筆記内容のディジタルデータ化のために運用することができる。事後、情報処理装置３と読取装置２との間の通信が可能となり、情報処理装置３から発される要求が読取装置２に受信されたときに、読取装置２が保存し蓄積していた各ページ４１の筆跡情報及び処理識別子のデータが読取装置２から情報処理装置３に授受される。
【００７９】
なお、本発明は以上に詳述した実施形態に限られるものではない。以下、本発明の変形例を列挙する。
【００８０】
まず、筆記帳４はノートに限定されないことは言うまでもない。図１３は、筆記用シートであるレポート用紙（または、メモ用紙）４１を複数枚綴じたレポートパッド（または、メモ帳）４とともに用いられる筆記内容処理システム１の例である。図１３に示す変形例における読取装置２のデジタイザ２１は、アンテナコイル等を内蔵した単一の盤面を備える。筆記帳たるレポートパッド４を読取装置２とともに使用するにあたっては、レポートパッドの台紙をデジタイザ２１の盤面に対して貼着等により固定して、筆記用シート４１とデジタイザ２１との相対的な位置関係を不動とする。
【００８１】
筆記用シート４１は、紙であるとは限らない。筆記用シート４１が、電子ペーパ等であることもあり得る。筆記具２２もまた、紙製の筆記用シート４１にインクを塗布するようなものには限定されず、紙に付着するインク類を滲出させない（紙に筆跡を残す機能を有さない）態様のペン、スタイラス等であってもよい。
【００８２】
上記実施形態の読取装置２は、ユーザが筆記用シート４１に対して筆記を行う際の筆記具２２の筆先の位置座標（Ｘ，Ｙ）を電磁誘導方式によって検出することで、筆跡情報及び処理識別子を取得するとともに開始符号の記入操作を感知していたが、筆跡情報、処理識別子及び開始符号の読み取りの仕組みは電磁誘導方式には限定されない。既知の他の方式、例えば、赤外線や超音波を用いた測距を伴う三角測量の手法によって筆先の位置座標を検出したり、予め筆記用シート４１に印刷された微細なドットパターン（このドットパターンは、当該ドットパターンが付された箇所の位置座標を表している）を筆記具２２の筆先近傍に設置したカメラで撮影することを通じて筆先の位置座標を検出したりする方式を用いて、筆跡情報、処理識別子及び開始符号の読み取りを実施することも考えられる。
【００８３】
また、読取装置２に設けたイメージセンサによって筆記用シート４１を撮影または光学的にスキャンし、当該筆記用シート４１上の筆跡情報、処理識別子及び開始符号を読み取ることを妨げない。この場合の筆跡情報、処理識別子及び開始符号は、ラスタ画像の形で読取装置２に取得されることとなる。
【００８４】
上記実施形態では、ユーザが筆跡情報に対して実行するべき処理を指定するために筆記用シート４１に記入する処理識別子を０から７までの数字としていたが、数字以外の文字、記号、図形、塗り潰しマーク、文字列、バーコードや二次元コード等を、筆記用シート４１に記入する処理識別子とすることができる。
【００８５】
読取装置２または情報処理装置３において、筆記用シート４１の処理識別子記入領域４１２に記入される文字、記号、図形、塗り潰しマーク等の色を判別または知得することが可能である場合には、その色を処理識別子とすることができ、あるいは、同じ文字等であってもその色が異なる場合に別個の処理識別子として取り扱う（例えば、黒色の０と赤色の０とを異なる処理識別子とする）ことができる。つまりは、ユーザが処理識別子を記入する際に使用する筆記具２２のインクの色に応じて、筆跡情報に対して実行する処理の内容を変えることができる。例えば、筆記具たる電磁ペン２２に、スイッチ２ｊがＯＮ状態である間デジタイザ２１に対して当該電磁ペン２２のインクの色を示す情報を無線送信する機能を付与しておく。この情報を受信したデジタイザ２１は、ユーザの筆記行為に基づく筆跡即ち筆先の位置座標（Ｘ，Ｙ）の時系列とともに、ユーザが筆記行為において使用した電磁ペン２２のインクの色を知得することができる。換言すれば、筆記用シート４１上の処理識別子記入領域４１２に記入された処理識別子の色を判別できる。この処理識別子の色の情報をデジタイザ２１から情報処理装置３に提供すれば、情報処理装置３において、処理識別子の色に応じた処理を選択して実行することが可能となる。
【００８６】
上記実施形態では、ユーザが筆跡情報に対する処理の実行を開始する意思をもって筆記用シート４１の開始符号記入領域４１３に記入する開始符号がチェックマーク（“レ”の字型）であったが、開始符号はチェックマーク以外の符号、例えば○、×、文字、数字、塗り潰しマーク等であってもよい。
【００８７】
上記実施形態では、情報処理装置３が読取装置２に対して筆跡情報及び処理識別子の送信を要求し、これに呼応して読取装置２が情報処理装置３に対して自身が取得して蓄えた筆跡情報及び処理識別子を送信するプル型の送受信を行っていたが、読取装置２が取得した筆跡情報及び処理識別子を一方的に情報処理装置３に対して送信するプッシュ型の送受信を行うシステムとしてもよい。
【００８８】
プッシュ型の送受信を行うシステムにおける読取装置２のデジタイザ２１は、ノート４のページ４１の開始符号記入領域４１３に開始符号が記入されたことを検出した場合に、開始符号が記入されたページ４１の筆跡情報及び処理識別子のデータを情報処理装置３に送信する。ユーザがノート４の左側のページ４１の開始符号記入領域４１３に開始符号を記入したときには、左盤面２１１のアンテナコイル２ｄを介して検出し記憶した筆先の位置座標（Ｘ，Ｙ）の時系列に基づく筆跡情報及び処理識別子を情報処理装置３に送信する。しかる後、その送信した筆跡情報及び処理識別子に相当する筆先の位置座標の時系列を、メインメモリ２ｂ若しくは補助記憶デバイス２ｃから消去する。ここで送信されるのは、左側のページ４１の筆記領域４１１に筆記された内容を示す筆跡情報、及び同ページ４１の処理識別子記入領域４１２に記入された処理識別子を含むデータである。
【００８９】
翻って、ユーザがノート４の右側のページ４１の開始符号記入領域４１３に開始符号を記入したときには、右盤面２１２のアンテナコイル２ｅを介して検出し記憶した筆先の位置座標の時系列に基づく筆跡情報及び処理識別子を情報処理装置３に送信する。しかる後、その送信した筆跡情報及び処理識別子に相当する筆先の位置情報の時系列を、メインメモリ２ｂ若しくは補助記憶デバイス２ｃから消去する。ここで送信されるのは、右側のページ４１の筆記領域４１１に筆記された内容を示す筆跡情報、及び同ページ４１の処理識別子記入領域４１２に記入された処理識別子を含むデータである。
【００９０】
上記実施形態では、筆記用シート４１に筆記された内容に係る筆跡情報や記入された処理識別子を取得する読取装置２と、処理識別子に対応する処理を筆跡情報に対して実行する情報処理装置３とが別個のハードウェアとなっていたが、これらを単体のハードウェアによって実現することを妨げない。この場合、読取装置と一体化した情報処理装置が、設定情報受付部１０１、設定情報記憶部１０２、筆跡情報取得部１０３、処理識別子取得部１０４、筆跡情報処理部１０５及び開始符号検出部１０６の機能を発揮することになる。
【００９１】
上記実施形態における情報処理装置３は、ユーザが直接手で触れて使用することのできる携帯電話端末、スマートフォン、ビデオゲーム機、パーソナルコンピュータ等であったが、インターネットやＷＡＮ、ＬＡＮ上に存在する、ユーザが直接手で触れることのできない（インターネット等を介してリモートアクセスすることはできる）サーバまたはパーソナルコンピュータ等に、設定情報に基づき筆跡情報を処理する情報処理装置３の役割を担わせることも考えられる。この場合、読取装置２が取得した筆跡情報及び処理識別子を、インターネット等経由で一旦当該サーバ等に送信する。そして、筆跡情報及び処理識別子を受信した当該サーバ等が、設定情報を参照し、処理識別子に対応した内容の処理を筆跡情報に対して実行する。つまり、インターネット、ＷＡＮまたはＬＡＮ上に存在する当該サーバ等が、設定情報受付部１０１、設定情報記憶部１０２及び筆跡情報処理部１０５の機能を発揮することになる。
【００９２】
情報処理装置３が筆跡情報に対して実行する、処理識別子に対応付けられる処理の内容についても、種々の変形例が考えられる。例えば；
・筆跡情報のベクトル画像化またはラスタ画像化、筆跡情報のデータ形式またはファイル形式（ＰＤＦ、ＥＰＳ、ＰＩＸ、ＢＭＰ、ＪＰＥＧ、ＧＩＦ、等々）の選択または変更、解像度の選択または変更、色数の変更（白黒（モノクロ）の二値化、グレースケール化等）、色調の変更、シャープ化その他のフィルタによる画像処理、印影のようなシンボル画像（シンボル画像は予め、情報処理装置３のメインメモリ３ｂ若しくは補助記憶デバイス３ｃに保持している）を筆跡情報に付加または重畳した上で当該筆跡情報を保存。処理識別子と組となる処理定義が、保存または送信される筆跡情報のファイル形式、解像度、色数、色調の変更やフィルタ処理の内容等の指定を含んでおり、情報処理装置３においてその指定に則ったファイル形式、解像度、色数の画像を生成し、必要な場合には色調補正やフィルタ処理その他の処理を当該画像に施す。
・複数枚の筆記用シート４１に係る複数の筆跡情報を、つなぎ合わせて一枚の画像ファイルにしたり、複数のページ（筆記用シート４１毎の筆跡情報が各ページとなる）を包有する一つのＰＤＦまたは文書ファイルの形にまとめたりする加工処理
・筆跡情報をＯＣＲ読み取りすることで、筆記用シート４１に筆記された文字列の一部または全部をテキストデータとして抽出したり、筆記用シート４１上に表された特徴的な画像やパターン（会社名のロゴマーク等）を抽出したり、さらには、抽出したテキストデータ、画像またはパターンに基づいて筆跡情報を分類（メタ情報の付与、保存先ディレクトリの選定、送信先の指定等）したりする処理
・筆跡情報の出力処理として、印刷、特定の記録媒体への書き込み、ＯＣＲ読み取りにより筆跡情報から抽出した（ユーザが筆記用シート４１に筆記した）文字列の音声出力、筆跡情報のデータファイルを他のアプリケーションソフトウェア（例えば、画像レタッチソフトや文書管理ソフト、ＰＤＦ編集ソフト等。ウェブアプリケーションやＳａａＳ（Ｓｏｆｔｗａｒｅ  ａｓ  ａ  Ｓｅｒｖｉｃｅ）であることがある）にオープンさせる等。処理識別子と組となる処理定義が、筆跡情報を出力するハードウェアまたは筆跡情報をオープンするアプリケーション等の指定を含んでおり、情報処理装置３においてその指定に則ったハードウェアを介して筆跡情報を出力させるか、その指定に則ったアプリケーションを起動して筆跡情報をオープンさせる
等を挙げることができる。
【００９３】
その他、各部の具体的構成や処理の手順等は、本発明の趣旨を逸脱しない範囲で種々変形が可能である。
【符号の説明】
【００９４】
１…筆記内容処理システム
１０１…設定情報受付部
１０２…設定情報記憶部
１０３…筆跡情報取得部
１０４…処理識別子取得部
１０５…筆跡情報処理部
１０６…開始符号検出部
２…読取装置
３…情報処理装置
４…筆記帳
４１…筆記用シート
【図１】
0006340275.tif 000002
【図２】
0006340275.tif 000003
【図３】
0006340275.tif 000004
【図４】
0006340275.tif 000005
【図５】
0006340275.tif 000006
【図６】
0006340275.tif 000007
【図７】
0006340275.tif 000008
【図８】
0006340275.tif 000009
【図９】
0006340275.tif 000010
【図１０】
0006340275.tif 000011
【図１１】
0006340275.tif 000012
【図１２】
0006340275.tif 000013
【図１３】
0006340275.tif 000014
【図１４】
0006340275.tif 000015
【図１５】
0006340275.tif 000016